(57)【特許請求の範囲】
【請求項１】
上面に穴が形成されたレール部材と、
レール部材を対にしてそれらの間隔を一定にする横棒部材と、
レール部材上に、ドラム缶を転動する向きに乗せたときに、レール部材の穴に係止部を嵌入してドラム缶の並び方向の両側端からドラム缶に当接してレール部材上でドラム缶の転動を規制するストッパ部材とを有し、
両側端に設けるストッパ部材のうちの少なくとも一方は、先端に前記レール部材の穴に装着可能な係止部をもち、かつ、穴に係止部を装着した状態でドラム缶への当接位置を変更する位置変更機構を有していることを特徴とするドラム缶保管ラック。
【請求項２】
ストッパ部材の位置変更機構は、先端に前記レール部材の穴に装着可能な係止部をもった２つの部分の基端同士がヒンジを介して屈曲可能に連結され、かつ、一方の部分がドラム缶外面当接用の面部を有し、他の部分が係止部からヒンジまでの長さが調整可能なネジ構造になっていることを特徴とする請求項１に記載のドラム缶保管ラック。
【請求項３】
横棒部材は、レール部材を設置場所上面から浮かせるための枕木状にレール部材の下面部に設けられたことを特徴とする請求項１または２に記載のドラム缶保管ラック。
【請求項４】
第１のレール部材上に複数並べられたドラム缶上に第２のレール部材を対で設置し、この対の第２のレール部材は、第２のレール部材の高さ方向よりも同じか小さい高さの横棒部材で連結したものであることを特徴とする請求項１ないし３のうちのいずれか１に記載のドラム缶保管ラック。
【請求項５】
第２のレール部材には、下方のドラム缶に係止するフック構造を設けたことを特徴とする請求項４に記載のドラム缶保管ラック。
【請求項６】
レール部材の端部には、レール部材同士を長手方向に繋ぐときに嵌入させる凸部と凹部が形成されていることを特徴とする請求項１ないし４のうちのいずれか１に記載のドラム缶保管ラック。
【発明の詳細な説明】
【０００１】
【発明の属する技術分野】
本発明は、液体、流動体等を収容したドラム缶を平坦な適所で保管するためのドラム缶保管ラックに関する。
【０００２】
【従来の技術】
燃料等の液体（あるいは流動体）の保管は、液体を収容したドラム缶に収容された状態で適所に寝かして保管されるが、従来は図９に示すように、平坦な保管場所ａ上面に断面矩形のレール材ｂを横倒しの状態で設置し、そのレール材ｂ上にドラム缶ｃを寝かした状態で複数並べて設置し保管する。そして、ドラム缶ｃの数がさらに増えると、並べたドラム缶ｃ上にレール材ｂを置き、このレール材ｂ上にドラム缶ｃを複数並べて置いて保管する。
レール材ｂには、木材の他にプラスチック材が用いられていた。
【０００３】
レール上では並べた複数のドラム缶は、そのままでは転がる等位置が不安定になる場合があるので、これらドラム缶を互いに密着させた状態で転がりを止めする必要がある。従来は、図９に示すように、ワイヤーｄでドラム缶を束ねて適宜に結び止めていた。
【０００４】
【発明が解決しようとする課題】
しかるに、保管しているうちのドラム缶の一部または全部の搬出・搬入の際には、ドラム缶並びの長さが異なるものになるため再度ワイヤーを束ね直さなければならず、その手間がかかり作業負荷が大きい。
また、ワイヤーｄは繋ぎ止めるフックｅを保管場所に設けるとしても、保管場所が変更されたときにはこのフックｅを設け直す必要があり不便である。
また、レール材はプスチックあるいは木材からなる単純な角材であって、必要長さ分を適宜に配置するだけであり、レール材を長くすると不使用の際に保存が困難であり、一方、レール材を短かくするとドラム缶の本数が増えるにつれて繋げて使うようになり、繋ぎ加工の手間がかかる。
さらに、ドラム缶を並べるだけではなく、並べた上部にさらに積むのに、従来のレール材では、ドラム缶の個数の多少に対応しにくく、かつ、転がり止めの設置が面倒な作業になる等の問題点を有していた。
【０００５】
本発明は、前記従来の問題点に鑑みてなされたものであって、ドラム缶の保管に際して、少ない工数で簡単かつ確実にドラム缶を位置固定して保管でき、かつ、ドラム缶の保管数の増加・減少に簡単に対応できるドラム缶保管ラックを提供することを目的とする。
【０００６】
【課題を解決するための手段】
本発明は、前記目的を達成するため、次の構成を有する。
本発明は、上面に穴が形成されたレール部材と、レール部材を対にしてそれらの間隔を一定にする横棒部材と、レール部材上に、ドラム缶を転動する向きに乗せたときに、レール部材の穴に係止部を嵌入してドラム缶の並び方向の両側端からドラム缶に当接してレール部材上でドラム缶の転動を規制するストッパ部材とを有し、両側端に設けるストッパ部材のうちの少なくとも一方は、先端に前記レール部材の穴に装着可能な係止部をもち、かつ、穴に係止部を装着した状態でドラム缶への当接位置を変更する位置変更機構を有していることを特徴とするドラム缶保管ラックである。
本発明において、ストッパ部材の位置変更機構は、先端に前記レール部材の穴に装着可能な係止部をもった２つの部分の基端同士がヒンジを介して屈曲可能に連結され、かつ、一方の部分がドラム缶外面当接用の面部を有し、他の部分が係止部からヒンジまでの長さが調整可能なネジ構造になっているものにできる。
また、本発明において、横棒部材は、レール部材を設置場所上面から浮かせるための枕木状にレール部材の下面に設けられたものにできる。
また、本発明において、第１のレール部材上に複数並べられたドラム缶上に第２のレール部材を対で設置し、この対の第２のレール部材は、第２のレール部材の高さ方向と同じかそれよりも小さい高さの横棒部材で連結したものにできる。
また、本発明において、第２のレール部材には、下方のドラム缶に係止するフック構造を設けることができる。
また、本発明において、レール部材の端部には、レール部材同士を長手方向に繋ぐときに嵌入させる凸部と凹部が形成されているものにできる。
【０００７】
本発明によれば、ドラム缶の並び方向の両側端に設けるストッパ部材のうちの少なくとも一方は、先端に前記レール部材の穴に装着可能な係止部をもち、かつ、穴に係止部を装着した状態でドラム缶への当接位置を変更する位置変更機構を有しているので、レール部材上にドラム缶が乗せられている状態で、ストッパ部材の位置変更機構の調節でドラム缶の当接位置を適切に調整でき、ドラム缶同士に隙間を無くして並べて係止・固定することができる。
また、本発明のストッパ部材の位置変更機構を、先端に前記レール部材の穴に装着可能な係止部をもった２つの部分の基端同士がヒンジを介して屈曲可能に連結され、かつ、一方の部分がドラム缶外面当接用の面部を有し、他の部分が係止部からヒンジまでの長さが調整可能なネジ構造にすれば、レール部材上におかれたドラム缶に対してストッパ部材の一方の部分の面部をドラム缶の外周面に当てて面部がこの外周面に密着するように他の部分の長さをネジの回転で調整可能になるので、ネジ回転という簡単な操作でドラム缶の固定が容易に行える。
また、本発明において、横棒部材を、レール部材を設置場所上面から浮かせるための枕木状にレール部材の下面に設けられたものにすれば、ドラム缶をレール部材上に転がしたり設置したりする作業が容易になる。
また、本発明において、第１のレール部材上に複数並べられたドラム缶上に第２のレール部材を対で設置し、この対の第２のレール部材は、第２のレール部材の高さ方向と同じかそれよりも小さい高さの横棒部材で連結したものにすれば、下側のレール部材に並べておいたドラム缶上にさらにドラム缶を容易に積みつけることができる。
また、前記第２のレール部材には、下方のドラム缶に係止するフック構造を設けて、簡単に強固に位置固定することができる。
また、本発明において、レール部材の端部には、レール部材同士を長手方向に繋ぐときに嵌入させる凸部と凹部が形成して、ドラム缶を多量に貯蔵するときに、レール部材をつないで長くでき、ドラム缶の多少に容易に対応できる。
【０００８】
【発明の実施の形態】
以下、図面を参照して本発明の実施形態を詳細に説明する。
図１は実施形態にかかるドラム缶保管ラックにドラム缶１０を積載した説明図、図２はドラム缶保管ラックの分解説明図、図３は第１のレール部材１２の平面図、側面図、図４はレール部材１２の各部説明図、図５はストッパ部材１４の説明図、図６は調整ストッパ部材１４の使用状態説明図、図７は固定ストッパ部材１６の説明図、図８はフック構造３０の説明図である。
【０００９】
図１〜図３に示すように、実施形態のドラム缶保管ラックにおいては、上面に長さ方向に間隔をおいて複数の穴２２が形成されたレール部材１２と、レール部材１２を対にしてそれらの間隔を一定にする横棒部材２０と、レール部材１２上に、複数のドラム缶１０を寝かせてそのドラム缶１０中心軸がレール部材１２長さ方向に対して９０°に向けてドラム缶１０が転動可能状態に乗せたときに、レール部材１２の穴２２に係止部１４ａ、１６ａを嵌入してドラム缶１０の並び方向の両側端からドラム缶１０側壁面に当接してレール部材１２上でドラム缶１０の転動を規制するストッパ部材１４，１６とを有し、両側端に設けるストッパ部材１４，１６のうちの一方は、先端に前記レール部材１２の穴２２に装着可能な係止部１４ａを有し、かつ、穴２２に係止部１４ａを装着した状態でドラム缶１０への当接位置を変更する位置変更機構２４を有している調整ストッパ部材１４である。
【００１０】
図４では、図３のＡ，Ｂ，Ｃ，Ｄ部の詳細を（ａ），（ｂ），（ｃ），（ｄ）に示している。
図３、図４に示すように、レール部材（第１のレール部材）１２は、断面概略下開きのコ字形状を呈した構造用形鋼（チャンネル）からなるものであって、開口の反対側壁部に長円形の穴２２が等間隔あるいは必要な間隔で複数、貫通形成されている。
【００１１】
レール部材１２を対にして固定する横棒部材２０は、レール部材１２を設置場所上面から浮かせるための枕木状にレール部材の下面に設けられたものにできる。すなわち、横棒部材２０は、断面矩形の構造用形鋼からなるものであって、所定間隔にした状態の横棒部材２０の両端部上面部に、それぞれレール部材１２，１２を乗せた状態で溶接固定したものである。レール部材１２，１２と横棒部材２０は長さ方向が直角になるように固定して、全体的に概略はしご形状に形成したものである。
【００１２】
また、図１、図２に示すように、対のレール部材（第１のレール部材）１２は下部に固定した横棒部材２０を保管場所上に接して設置され、このレール部材１２上にドラム缶１０を複数並べて保管するが、この並べたドラム缶１０上に横棒部材２８で固定された第２のレール部材２６を対で設置して、このレール部材２６上にさらにドラム缶１０を並べ置いて保管する。
この対の第２のレール部材２６は、第２のレール部材２６の高さ方向と同じかそれよりも小さい高さの横棒部材２８の両端面でレール部材２６内側面同士を連結固定し、全体形状を概略はしご形にしている。
【００１３】
第２のレール部材２６には、下方のドラム缶１０に係止するフック構造３０を設けものである。このフック構造３０は、図１、図８に示すように、第２のレール部材２６から両側方向に横向きにロッド３０ａを寝かせたドラム缶１０の円筒鍔状の上端１０ａに届くように突出固定する。そして、このロッド３０ａの先端（雄ネジが形成されている）をフック金具３０ｂの孔３０ｃに通してフック金具３０ｂを挿着し、ドラム缶１０の上・下の縁部１０ａにフック金具３０ｂの曲がった先端を引っかけた状態にする。
このロッド３０ａ先端の雄ネジにナット３０ｄを螺着して締め付けることにより、フック構造３０は第２のレール部材２６をドラム缶１０に確実に締め付け固定できる。
なお、第２のレール部材２６の側面にはロッド３０ａ締着固定用の複数の孔３２〜３２が形成されていて、下側のドラム缶１０の位置に応じて適切な孔３２〜３２を選択してロッド３０を締着固定てきる。
【００１４】
また、レール部材１２，２６の長さ方向の端部には、レール部材１２，２６同士を長手方向に繋ぐときに嵌入させる凸部３４ａと凹部３４ｂが形成されており、保管するドラム缶１０の数量に応じてレール部材１２，２６を繋ぐことにより適切な長さにすることができる。
【００１５】
調整ストッパ部材１４は、図５、図６に詳細に示すように、先端に前記レール部材１２の穴２２に装着可能な円柱棒状の係止部１４ａをもった２つの部分２４ａ，２４ｂの基端同士がヒンジ２４ｃを介して屈曲可能に連結される。一方の部分２４ａはドラム缶１０外面当接用の面部２４ａ１を有する平坦金属板材からなり下端にピン状の係止部１４ａが溶接固定される。また、他の部分２４ｂは、ヒンジ２４ｃから延びた雄ネジ部２４ｂ１とこの雄ネジ部２４ｂ１に螺合する雌ネジ部２４ｂ２とからなる。また、雌ネジ部２４ｂ２は周面が六角ナットと同形状の六角袋ナットになっていて、スパナやレンチ等の汎用工具で容易に回転できるようになっている。また、雌ネジ部２４ｂ２下端に係止部１４ａが一体に形成されている。
したがって、雌ネジ部２４ｂ２を雄ネジ部２４ｂ１に対して回転させることにより、係止部１４ａからヒンジ２４までの長さが調整可能なネジ構造になっている。
【００１６】
固定ストッパ部材は１６は、図７に示すように、金属板材を側面視山形に折り曲げて斜面部１６ｂを形成し、裾野に相当する部分１６ｃ，１６ｃの孔にピン状の係止部１６ａ，１６ａを嵌め込んで上面側から溶接して固定したものである。
【００１７】
実施形態のドラム缶保管ラックによれば、レール部材１２を保管場所に設置してその上にドラム缶１０を、その軸がレール部材１２と直角になるようにしてレール部材１２にその一方側から順次転動等させて乗せて行く。
この際、対のレール部材１２の他方側には対で固定ストッパ１６，１６が係止されており、転がして送り込んだドラム缶１０は、このストッパ１６，１６に当接して止まり、次々とドラム缶１０を互いに当接させて乗せて行く。そして、ドラム缶１０を乗せ終わった後に手前側から対で調整用ストッパ１４を対のレール部材１２，１２のそれぞれに装着する。
このようにして、ドラム缶１０の並び方向の両側端に設けるストッパ部材１４，１６は、先端に前記レール部材１２，２６の穴２２に装着可能な係止部１４ａ，１６ａを持ち、そして、一方のストッパ部材１４は、穴２２に係止部１４ａを装着した状態でドラム缶１０への当接位置を変更する位置変更機構２４を有しているので、レール部材１２，２６上にドラム缶１０が乗せられている状態で、ストッパ部材１４の調整によりドラム缶１０の当接位置を適切に調整でき、ドラム缶１０同士を隙間無く並べて固定することができる。また、ストッパ部材１４，１６は、対のレール部材１２，２６ぞれそれに対で設けているので、寝かしてレール部材１２，２６上に乗っていてるドラム缶１０の長さ方向の２箇所に当接して安定して固定ができる。
【００１８】
また、ストッパ部材１４の位置変更機構２４を、先端に前記レール部材１２，２６の穴２２に装着可能な係止部１４ａ，１４ａを持った２つの部分２４ａ、２４ｂの基端同士がヒンジ２４ｃを介して屈曲可能に連結され、かつ、一方の部分２４ａがドラム缶１０外面当接用の面部を有し、他の部分２４ｂが係止部１４ａからヒンジ２４ｃまでの長さが調整可能なネジ構造にするので、レール部材１２，２６上におかれたドラム缶１０に対してストッパ部材１４の一方の部分２４ａの面部をドラム缶１０の外周面に当てて面部が外周面に密着するように他の部分２４ｂの長さの調整をネジの回転という簡単な操作でドラム缶１０の固定が容易に行える。
【００１９】
また、横棒部材２０は、レール部材１２を設置場所上面から浮かせるための枕木状にレール部材の下面に設けたものにしているので、ドラム缶１０をレール部材１２上に転がしたり設置したりする作業が容易になる。
【００２０】
また、対の第２のレール部材２６は、第２のレール部材２６の高さ方向よりも小さい高さの横棒部材２８で連結したものにするので、下側のレール部材１２に並べておいたドラム缶１０上にさらにドラム缶１０を容易に積みつけることができる。
また、前記第２のレール部材２６には、下方のドラム缶１０に係止するフック構造３０を設けて、簡単に強固に位置固定することができる。
また、レール部材１２，２６の端部には、レール部材１２，２６同士を長手方向に繋ぐときに嵌入させる凸部３４ａと凹部３４ｂが形成しており、ドラム缶１０を多量に貯蔵するときに、レール部材１２，２６同士を繋いで長くでき、ドラム缶１０の多少に容易に対応できる。
【００２１】
なお、前記のようにレール部材１２，２６上に乗せてストッパ部材１４，１６で固定してドラム缶１０を長期間に保管したりするときなど、ストッパ部材１４，１６に長期間応力がかかるなどしてネジ部の回転に不具合が生じるのを防止するため、ストッパ部材１４．１６の固定状態のにさらにワイヤロープなどでドラム缶１０を結束して固定することが好ましい。この場合に図１，図４などに示すように、レール部分１２，２６の長さ方向両端に位置する横棒部材２０にフック金具４０を設けて、このフック金具４０にワイヤロープ４２を引き留めることが好ましい。このようにすれば、保管場所を選ばずにワイヤロープ４２をフック金具４０に引き留めてドラム缶１０をさらに確実かつ簡易に固定できる。
【００２２】
本発明は、前記好ましいの実施形態に限定されず、本発明の範囲内で変形実施を適宜に行える。例えば、対のレール部材は、２本で対を形成することに限定されず、３本以上用いることも可能である。また、第２のレール部材に乗せたドラム缶の上にさらに第２のレール部材を設置し、この上にドラム缶乗せることも必要に応じて行うことができる。
また、ストッパ部材の係止部を装着する穴は、レール部材に複数配列形成したものに限定されず、間隔をおいては幅の狭い部分のある一条の溝を形成した穴とし、この幅狭い箇所に係止部を係止するようにしてもよい。
また、ストッパ部材は、固定ストッパ部材を使用せずにレール部材の長さ方向の両端に位置変更機構の有る調整ストッパ部材を使用してもよい。
【００２３】
【発明の効果】
以上説明した通り本発明によれば、レール部材上にドラム缶が乗せられている状態で、ストッパ部材の位置変更機構の調節でドラム缶の当接位置を適切に調整でき、ドラム缶同士に隙間を無くして並べて係止・固定することができる。
また、本発明のストッパ部材の位置変更機構を、先端に前記レール部材の穴に装着可能な係止部をもった２つの部分の基端同士がヒンジを介して屈曲可能に連結され、かつ、一方の部分がドラム缶外面当接用の面部を有し、他の部分が係止部からヒンジまでの長さが調整可能なネジ構造にすれば、レール部材上におかれたドラム缶に対してストッパ部材の一方の部分の面部をドラム缶の外周面に当てて面部がこの外周面に密着するように他の部分の長さをネジの回転で調整可能になるので、ネジ回転という簡単な操作でドラム缶の固定が容易に行える。
また、本発明において、横棒部材を、レール部材を設置場所上面から浮かせるための枕木状にレール部材の下面に設けられたものにすれば、ドラム缶をレール部材上に転がしたり設置したりする作業が容易になる。
また、本発明において、第１のレール部材上に複数並べられたドラム缶上に第２のレール部材を対で設置し、この対の第２のレール部材は、第２のレール部材の高さ方向と同じかそれよりも小さい高さの横棒部材で連結したものにすれば、下側のレール部材に並べておいたドラム缶上にさらにドラム缶を容易に積みつけることができる。
また、前記第２のレール部材には、下方のドラム缶に係止するフック構造を設けて、簡単に強固に位置固定することができる。
また、本発明において、レール部材の端部には、レール部材同士を長手方向に繋ぐときに嵌入させる凸部と凹部が形成して、ドラム缶を多量に貯蔵するときに、レール部材をつないで長くでき、ドラム缶の多少に容易に対応できる。
【図面の簡単な説明】
【図１】本発明の実施形態にかかるドラム缶保管ラックにドラム缶を積載した説明図である。
【図２】前記ドラム缶保管ラックの分解説明図である。
【図３】（ａ），（ｂ）は第１のレール部材の平面図，側面図である。
【図４】レール部材の各部説明図であって、図３のＡ，Ｂ，Ｃ，Ｄ部の詳細を（ａ），（ｂ），（ｃ），（ｄ）に示している。
【図５】調整ストッパ部材の説明図である。
【図６】調整ストッパ部材の使用状態説明図である。
【図７】固定ストッパ部材の説明図である。
【図８】フック構造の説明図である。
【図９】従来のドラム缶保管の状態説明図である。
【符号の説明】
１０  ドラム缶
１２  レール部材（第１のレール部材）
１４  調整用ストッパ部材
１４ａ  係止部
１６  固定用ストッパ部材
１６ａ  係止部
２０  横棒部材
２２  穴
２４  位置変更機構
２６  第２のレール部材
３０  フック構造
【図１】
0004357673.tif 000002
【図２】
0004357673.tif 000003
【図３】
0004357673.tif 000004
【図４】
0004357673.tif 000005
【図５】
0004357673.tif 000006
【図６】
0004357673.tif 000007
【図７】
0004357673.tif 000008
【図８】
0004357673.tif 000009
【図９】
0004357673.tif 000010